(57)【要約】【目的】本発明の課題は、断熱欠陥のない屋根構造を提供することにある。【解決手段】板材２上面にプラスチック発泡体からなる断熱材３を接着した積層材１において、該断熱材３の所定個所には垂木溝４を設け、該垂木溝４内には該垂木溝４と同巾でかつ該垂木溝４の深さよりも薄い補充断熱材５を嵌め込み、その上から該垂木溝４に該垂木溝４と同巾の垂木６を嵌め込み、上記積層材１を屋根構造体上７，８に乗架して該垂木６の位置で該屋根構造体７，８に締結材９で固定し、該垂木６上に野地板１０を乗架し固定する。したがって垂木６部分の断熱欠陥は補充断熱材５によって補充される。【選択図】　　　　図６
2004019105.tif 000002
【特許請求の範囲】
【請求項１】
板材上面にプラスチック発泡体からなる断熱材を接着した積層材において、該断熱材の所定個所には垂木溝を設け、該垂木溝内には該垂木溝と同巾でかつ該垂木溝の深さよりも薄い補充断熱材を嵌め込み、その上から該垂木溝に該垂木溝と同巾の垂木を嵌め込み、上記積層材を屋根構造体上に乗架して該垂木の位置で、該屋根構造体に締結材で固定し、該垂木上に野地板を乗架し固定したことを特徴とする屋根構造
【請求項２】
該垂木上部は垂木溝から突出しており、したがって該断熱材と該野地板との間には通気間隙が形成され、更に軒先にあっては該垂木を該積層材から突出させて該通気間隙に通ずる通気口を形成した請求項１に記載の屋根構造
【発明の詳細な説明】
【０００１】
【産業上の利用分野】
本発明は建築物の屋根構造に関するものである。
【０００２】
【従来の技術】
従来は、図１１および図１２に示すように、断熱材（２３）を上下の板材（２２，２２）　で挟んだ積層材（２１）を棟木、母屋、横架材等の屋根構造体（２８）に釘（２９）によって固定していた。そして屋根の荷重を支えるために、断熱材（２３）を切欠き、該切欠き部分に木枠（２６）を挿入して補強していた。
【０００３】
【発明が解決しようとする課題】
上記従来の構成では、積層材（２１）内に木枠（２６）を挿入するために断熱材（２３）に切欠き部分を設けなければならず、この部分で屋根の断熱に欠陥が生じること、また木枠（２６）を挿入した積層材（２１）は重量が大であり、屋根の構築には重機を必要とすること等の問題点があった。
【０００４】
【課題を解決するための手段】
本発明は上記従来の課題を解決するための手段として、板材（２）　上面にプラスチック発泡体からなる断熱材（３）　を接着した積層材（１）　において、該断熱材（３）　の所定個所には垂木溝（４）　を設け、該垂木溝（４）　内には該垂木溝（４）　と同巾でかつ該垂木溝（４）　の深さよりも薄い補充断熱材（５）　を嵌め込み、その上から該垂木溝（４）　に該垂木溝（４）　と同巾の垂木（６）　を嵌め込み、上記積層材（１）　を屋根構造体（７，８）　上に乗架して該垂木（６）　の位置で、該屋根構造体（７，８）　に締結材（９）　で固定し、該垂木（６）　上に野地板（１０）を乗架し固定した屋根構造を提供するものである。該垂木（６）　上部は垂木溝（４）　から突出しており、したがって該断熱材（３）　と該野地板（１０）との間には通気間隙（１１）が形成され、更に軒先にあっては該垂木（６）　を該積層材（１）　から突出させて該通気間隙（１１）に通ずる通気口（１３）を形成することが好ましい。
【０００５】
【作用】
本発明の積層材（１）　にあっては、断熱材（３）　の所定個所に設けた垂木溝（４）　内に該垂木溝（４）　と同巾でかつ該垂木溝（４）　よりも薄い補充断熱材（５）　を嵌め込んだ上で該垂木溝（４）　に垂木（６）　を嵌め込むので、断熱材（３）　を欠く部分（断熱欠陥部分）がなくなる。
【０００６】
また該垂木（６）　の上部を該垂木溝（４）　から突出させれば、断熱材（３）　と野地板（１０）との間には通気間隙（１１）が形成され、更に軒先にあっては垂木（６）　を該積層材（１）　から突出させて該通気間隙（１１）に通ずる通気口（１３）を形成すれば、該通気口（１３）を介して外気が該通気間隙（１１）に連通し出入する。
【０００７】
【発明の実施の形態実施】
本発明を図１〜図１０に示す一実施例によって説明すれば、積層材（１）　において、（２）　は合板、ハードボード、パーチクルボード、単板等からなる板材であり、該板材（２）　の上面には断熱材（３）　が接着される。該断熱材（３）　はポリスチレン発泡体、ポリエチレン発泡体、ポリプロピレン発泡体、フェノール樹脂発泡体、メラミン樹脂発泡体等のプラスチック発泡体からなり、図２に示すように所定個所には垂木溝（４）　が設けられている。図３に示すように該積層材（１）　の垂木溝（４）　内には、該垂木溝（４）　の深さｄ（断熱材（３）　の厚さ）よりも薄い厚みｔ（ｄ＞ｔ）の補充断熱材（５）　が嵌め込まれる。該垂木溝（４）　の深さｄと該補充断熱材（５）　の厚みｔとの差ｄ−ｔは通常５〜５０ｍｍに設定される。
【０００８】
図４に示すように該積層材（１）　の垂木溝（４）　内には補充断熱材（５）　の上から垂木溝（４）　と同巾の垂木（６）　が嵌め込まれる。そして該積層材（１）　は図５に示すように該垂木（６）　の個所で棟木（７）　、母屋（８）　、あるいは横架材等の屋根構造体上に釘（９）　、ビス、金具等の締結材によって固定される。
【０００９】
このようにして屋根構造体（７，８）　上に固定された積層材（１）　の垂木（６）　上には野地板（１０）が乗架され釘等で固定され、該野地板（１０）上には図示しない屋根材が敷設され、屋根が構築される。このような屋根構造では垂木（６）　上部が断熱材（３）　の垂木溝（４）　から突出しているから、野地板（１０）と積層材（１）　の断熱材（３）　との間には通気間隙（１１）が形成される。該垂木（６）　上部の突出量、即ち通気間隙（１１）の巾Ｗは通常１０〜４０ｍｍに設定される。そして該屋根構造の軒先部分において、図６に示すように該垂木（６）　を該積層材（１）　よりも突出させ、即ち該垂木（６）　よりも該積層材（１）　を短くし、該垂木（６）　先端に取付けた鼻隠し（１２）と積層材（１）　との間に該通気間隙（１１）に通ずる通気口（１３）を形成する。該垂木（６）　の突出量即ち通気口（１３）の巾Ｌは１０ｍｍ以上に設定する。
【００１０】
このように本実施例の屋根構造は断熱材（３）　および補充断熱材（５）　によって断熱欠陥なく全面的に断熱され、更に通気間隙（１１）内の空気が通気口（１３）を介して出入するので、該屋根構造の断熱性は非常に高くなる。なお図６に示すように該屋根構造には同様な積層材（１）　を使用した壁構造が接続される。また断熱欠陥があっても差支えない屋根部分にあっては、該補充断熱材（５）　を積層材（１）　の垂木溝（４）　内に嵌め込むことなく、直接垂木（６）　を嵌め込んでもよい。
【００１１】
屋根構造が図８に示す切妻構造や図９に示す寄せ棟構造の場合には棟境界部分や寄せ棟境界部分の積層材（１Ａ，１Ｂ）　を台形、三角形等所定形状に切断するが、本発明の積層材（１）　は切断加工が容易である。
【００１２】
図１０に示すように野地板（１０）がスチール製で庇（１４）が出ている場合は、熱橋の形成を防止するために外壁材に使用する積層材（１）　の上端でＬ型に組合わせる。
【００１３】
【発明の効果】
本発明では断熱欠陥部のない屋根構造を提供することが出来る。
【図面の簡単な説明】
図１〜図１０は本発明の一実施例を示すものである。
【図１】積層材平面図
【図２】図１におけるＡ−Ａ断面図
【図３】垂木構内に補充断熱材を嵌め込んだ状態のＡ−Ａ断面図
【図４】その上から垂木を嵌め込んだ状態のＡ−Ａ断面図
【図５】積層材を屋根構造体上に取付けた状態の側断面図
【図６】垂木上に野地板を取付けた状態の側断面図
【図７】垂木上に野地板を取付けた状態の縦断面図
【図８】切妻構造の屋根の平面図
【図９】寄棟構造の屋根の平面図
【図１０】スチール製野地板の場合の庇部分側断面図
図１１〜図１２は従来例を示すものである。
【図１１】側断面図
【図１２】屋根構造体に取付けた状態の側断面図
【符号の説明】
１　　　　　　　積層材
２　　　　　　　板材
３　　　　　　　断熱材
４　　　　　　　垂木溝
５　　　　　　　補充断熱材
６　　　　　　　垂木
７，８　　　　　屋根構造体
９　　　　　　　締結材
１０　　　　　　野地板
１１　　　通気間隙
１３　　　　　　通気口
【図１】
2004019105.tif 000003
【図２】
2004019105.tif 000004
【図３】
2004019105.tif 000005
【図４】
2004019105.tif 000006
【図５】
2004019105.tif 000007
【図６】
2004019105.tif 000008
【図７】
2004019105.tif 000009
【図８】
2004019105.tif 000010
【図９】
2004019105.tif 000011
【図１０】
2004019105.tif 000012
【図１１】
2004019105.tif 000013
【図１２】
2004019105.tif 000014